(57)【要約】【課題】  一般ユーザに影響を及ぼすことなく、全ての特定端末がデータ送信することが可能なネットワーク構成を構築するインフラ通信網を提供する。【解決手段】  本発明のインフラ通信網は、第１及び第２の特定端末（７〜１１）群にて、アドホック通信網１３を形成し、第１及び第２のインフラ通信網（１，２）内に、特定端末各々からデータを受信しかつ当該データの受信量が制限される第１及び第２のゲートウェイ（３，４）を設け、特定端末（７〜１１）各々が、他の特定端末から送信データサイズを取得し、その取得した送信データサイズを基にデータの受信量が第１及び第２のゲートウェイで均等になるように送信データサイズを振り分けたルーティングテーブル（１４）を生成し、ルーティングテーブルの内容を基に第１及び第２のゲートウェイに送信データを出力する。【選択図】      図２
2014093750.tif 000002
【特許請求の範囲】
【請求項１】
インフラストラクチャモードを使用した無線通信網である第１のインフラ通信網において、一般ユーザが使用する複数の一般端末からなる第１の一般端末群と、企業が業務的に使用する複数の特定端末からなる第１の特定端末群とが混在し、当該無線通信網である第２のインフラ通信網において、複数の一般端末からなる第２の一般端末群と、複数の特定端末からなる第２の特定端末群とが混在しているインフラ通信網であって、
前記第１及び第２の特定端末群にて、アクセスポイントを利用せずに端末同士でネットワークを構築するアドホックモードを使用した無線通信網であるアドホック通信網を形成し、
前記第１及び第２のインフラ通信網内に、前記特定端末各々からデータを受信しかつ当該データの受信量が制限される第１及び第２のゲートウェイを設け、
前記特定端末各々が、他の特定端末から送信データサイズを取得する送信データサイズ取得手段と、前記送信データサイズ取得手段にて取得した前記送信データサイズを基に前記データの受信量が前記第１及び第２のゲートウェイで均等になるように送信データサイズを振り分けたルーティングテーブルを生成するルーティングテーブル生成手段と、前記ルーティングテーブル生成手段で生成されたルーティングテーブルの内容に基づいて前記第１及び第２のゲートウェイのいずれかに前記第１及び第２のインフラ通信網の一方または前記第１及び第２のインフラ通信網の一方及び前記アドホック通信網を介して送信データを出力する送信手段とを有することを特徴とするインフラ通信網。
【請求項２】
前記ルーティングテーブル生成手段は、前記第１及び第２のインフラ通信網の一方に属する特定端末の送信データサイズの合計が、対応する第１及び第２のゲートウェイの一方の前記データの受信量の制限を超えた場合に、前記第１及び第２のインフラ通信網の他方に属する特定端末のいずれかの送信データを前記アドホック通信網及び前記第１及び第２のインフラ通信網の一方を介して対応する第１及び第２のゲートウェイの一方に出力させるよう前記ルーティングテーブルを生成することを特徴とする請求項１記載のインフラ通信網。
【請求項３】
前記ルーティングテーブル生成手段は、均等になるパターンが複数ある場合、前記アドホック通信網を経由する特定端末が少なくなるように調整してする前記ルーティングテーブルを生成することを特徴とする請求項２記載のインフラ通信網。
【請求項４】
インフラストラクチャモードを使用した無線通信網である第１のインフラ通信網において、一般ユーザが使用する複数の一般端末からなる第１の一般端末群と、企業が業務的に使用する複数の特定端末からなる第１の特定端末群とが混在し、当該無線通信網である第２のインフラ通信網において、複数の一般端末からなる第２の一般端末群と、複数の特定端末からなる第２の特定端末群とが混在しているインフラ通信網に用いる特定端末であって、
前記第１及び第２の特定端末群にて、アクセスポイントを利用せずに端末同士でネットワークを構築するアドホックモードを使用した無線通信網であるアドホック通信網を形成し、
前記第１及び第２のインフラ通信網内に、前記特定端末各々からデータを受信しかつ当該データの受信量が制限される第１及び第２のゲートウェイを設け、
他の特定端末から送信データサイズを取得する送信データサイズ取得手段と、前記送信データサイズ取得手段にて取得した前記送信データサイズを基に前記データの受信量が前記第１及び第２のゲートウェイで均等になるように送信データサイズを振り分けたルーティングテーブルを生成するルーティングテーブル生成手段と、前記ルーティングテーブル生成手段で生成されたルーティングテーブルの内容に基づいて前記第１及び第２のゲートウェイのいずれかに前記第１及び第２のインフラ通信網の一方または前記第１及び第２のインフラ通信網の一方及び前記アドホック通信網を介して送信データを出力する送信手段とを有することを特徴とする特定端末。
【請求項５】
前記ルーティングテーブル生成手段は、前記第１及び第２のインフラ通信網の一方に属する特定端末の送信データサイズの合計が、対応する第１及び第２のゲートウェイの一方の前記データの受信量の制限を超えた場合に、前記第１及び第２のインフラ通信網の他方に属する特定端末のいずれかの送信データを前記アドホック通信網及び前記第１及び第２のインフラ通信網の一方を介して対応する第１及び第２のゲートウェイの一方に出力させるよう前記ルーティングテーブルを生成することを特徴とする請求項４記載の特定端末。
【請求項６】
前記ルーティングテーブル生成手段は、均等になるパターンが複数ある場合、前記アドホック通信網を経由する特定端末が少なくなるように調整してする前記ルーティングテーブルを生成することを特徴とする請求項５記載の特定端末。
【請求項７】
インフラストラクチャモードを使用した無線通信網である第１のインフラ通信網において、一般ユーザが使用する複数の一般端末からなる第１の一般端末群と、企業が業務的に使用する複数の特定端末からなる第１の特定端末群とが混在し、当該無線通信網である第２のインフラ通信網において、複数の一般端末からなる第２の一般端末群と、複数の特定端末からなる第２の特定端末群とが混在しているインフラ通信網に用いる通信データ分散方法であって、
前記第１及び第２の特定端末群にて、アクセスポイントを利用せずに端末同士でネットワークを構築するアドホックモードを使用した無線通信網であるアドホック通信網を形成し、
前記第１及び第２のインフラ通信網内に、前記特定端末各々からデータを受信しかつ当該データの受信量が制限される第１及び第２のゲートウェイを設け、
前記特定端末各々が、他の特定端末から送信データサイズを取得する送信データサイズ取得処理と、前記送信データサイズ取得処理にて取得した前記送信データサイズを基に前記データの受信量が前記第１及び第２のゲートウェイで均等になるように送信データサイズを振り分けたルーティングテーブルを生成するルーティングテーブル生成処理と、前記ルーティングテーブル生成処理で生成されたルーティングテーブルの内容に基づいて前記第１及び第２のゲートウェイのいずれかに前記第１及び第２のインフラ通信網の一方または前記第１及び第２のインフラ通信網の一方及び前記アドホック通信網を介して送信データを出力する送信処理とを実行することを特徴とする通信データ分散方法。
【請求項８】
前記ルーティングテーブル生成処理において、前記第１及び第２のインフラ通信網の一方に属する特定端末の送信データサイズの合計が、対応する第１及び第２のゲートウェイの一方の前記データの受信量の制限を超えた場合に、前記第１及び第２のインフラ通信網の他方に属する特定端末のいずれかの送信データを前記アドホック通信網及び前記第１及び第２のインフラ通信網の一方を介して対応する第１及び第２のゲートウェイの一方に出力させるよう前記ルーティングテーブルを生成することを特徴とする請求項７記載の通信データ分散方法。
【請求項９】
前記ルーティングテーブル生成処理において、均等になるパターンが複数ある場合、前記アドホック通信網を経由する特定端末が少なくなるように調整してする前記ルーティングテーブルを生成することを特徴とする請求項８記載の通信データ分散方法。
【発明の詳細な説明】
【技術分野】
【０００１】
本発明はインフラ通信網、特定端末及びそれらに用いる通信データ分散方法に関し、特にアドホックネットワークを利用したインフラ通信網における通信データの分散方法に関する。
【背景技術】
【０００２】
近年、携帯端末においては、簡易に無線基地局を設定し、これを活用する無線通信方式が汎用化されている。また、携帯端末においては、無線基地局等の通信インフラに依存することなく、端末間での直接的な無線通信も実現可能である。
【０００３】
前者のように無線基地局を活用する無線通信モードはインフラストラクチャモードと呼ばれ、後者のように無線基地局を活用することなく、端末間での直接的な無線通信を行う無線通信モードはアドホックモードと呼ばれている（例えば、特許文献１，２参照）。
【０００４】
さらに、インフラ設備（無線基地局等）を利用しない端末間同士での通信が可能な無線通信メディア(ＺｉｇＢｅｅ等)の性能向上により、以前より広範囲の端末間ネットワークを生成することができるようになってきている。
【先行技術文献】
【特許文献】
【０００５】
【特許文献１】特開２００８−２８８７２７号公報
【特許文献２】特開２００９−０２１８８６号公報
【発明の概要】
【発明が解決しようとする課題】
【０００６】
本発明に関連する技術では、インフラストラクチャモードを使用した無線通信網(以下、インフラ通信網とする)で、一般ユーザが使用する端末(以下、一般端末とする)と、企業が業務的に使用する端末(以下、特定端末とする)とが混在している環境が前提となる。その環境を図１に示す。
【０００７】
昨今の一般端末の送信データ量の急激な上昇により、図１に示すように、一般端末と特定端末とが混在している環境では、ＧＷ（ゲートウェイ）の性能やインフラ通信網の帯域には上限があるため、その上限を越えないように特定端末がデータを送信しなければならないという課題が出てくる。
【０００８】
そこで、本発明の目的は上記の問題点を解消し、一般ユーザに影響を及ぼすことなく、全ての特定端末がデータ送信することが可能なネットワーク構成を構築することができるインフラ通信網、特定端末及びそれらに用いる通信データ分散方法を提供することにある。
【課題を解決するための手段】
【０００９】
本発明によるインフラ通信網は、インフラストラクチャモードを使用した無線通信網である第１のインフラ通信網において、一般ユーザが使用する複数の一般端末からなる第１の一般端末群と、企業が業務的に使用する複数の特定端末からなる第１の特定端末群とが混在し、当該無線通信網である第２のインフラ通信網において、複数の一般端末からなる第２の一般端末群と、複数の特定端末からなる第２の特定端末群とが混在しているインフラ通信網であって、
前記第１及び第２の特定端末群にて、アクセスポイントを利用せずに端末同士でネットワークを構築するアドホックモードを使用した無線通信網であるアドホック通信網を形成し、
前記第１及び第２のインフラ通信網内に、前記特定端末各々からデータを受信しかつ当該データの受信量が制限される第１及び第２のゲートウェイを設け、
前記特定端末各々が、他の特定端末から送信データサイズを取得する送信データサイズ取得手段と、前記送信データサイズ取得手段にて取得した前記送信データサイズを基に前記データの受信量が前記第１及び第２のゲートウェイで均等になるように送信データサイズを振り分けたルーティングテーブルを生成するルーティングテーブル生成手段と、前記ルーティングテーブル生成手段で生成されたルーティングテーブルの内容に基づいて前記第１及び第２のゲートウェイのいずれかに前記第１及び第２のインフラ通信網の一方または前記第１及び第２のインフラ通信網の一方及び前記アドホック通信網を介して送信データを出力する送信手段とを備えることを特徴とする。
【００１０】
本発明による特定端末は、インフラストラクチャモードを使用した無線通信網である第１のインフラ通信網において、一般ユーザが使用する複数の一般端末からなる第１の一般端末群と、企業が業務的に使用する複数の特定端末からなる第１の特定端末群とが混在し、当該無線通信網である第２のインフラ通信網において、複数の一般端末からなる第２の一般端末群と、複数の特定端末からなる第２の特定端末群とが混在しているインフラ通信網に用いる特定端末であって、
前記第１及び第２の特定端末群にて、アクセスポイントを利用せずに端末同士でネットワークを構築するアドホックモードを使用した無線通信網であるアドホック通信網を形成し、
前記第１及び第２のインフラ通信網内に、前記特定端末各々からデータを受信しかつ当該データの受信量が制限される第１及び第２のゲートウェイを設け、
他の特定端末から送信データサイズを取得する送信データサイズ取得手段と、前記送信データサイズ取得手段にて取得した前記送信データサイズを基に前記データの受信量が前記第１及び第２のゲートウェイで均等になるように送信データサイズを振り分けたルーティングテーブルを生成するルーティングテーブル生成手段と、前記ルーティングテーブル生成手段で生成されたルーティングテーブルの内容に基づいて前記第１及び第２のゲートウェイのいずれかに前記第１及び第２のインフラ通信網の一方または前記第１及び第２のインフラ通信網の一方及び前記アドホック通信網を介して送信データを出力する送信手段とを備えることを特徴とする。
【００１１】
本発明による通信データ分散方法は、インフラストラクチャモードを使用した無線通信網である第１のインフラ通信網において、一般ユーザが使用する複数の一般端末からなる第１の一般端末群と、企業が業務的に使用する複数の特定端末からなる第１の特定端末群とが混在し、当該無線通信網である第２のインフラ通信網において、複数の一般端末からなる第２の一般端末群と、複数の特定端末からなる第２の特定端末群とが混在しているインフラ通信網に用いる通信データ分散方法であって、
前記第１及び第２の特定端末群にて、アクセスポイントを利用せずに端末同士でネットワークを構築するアドホックモードを使用した無線通信網であるアドホック通信網を形成し、
前記第１及び第２のインフラ通信網内に、前記特定端末各々からデータを受信しかつ当該データの受信量が制限される第１及び第２のゲートウェイを設け、
前記特定端末各々が、他の特定端末から送信データサイズを取得する送信データサイズ取得処理と、前記送信データサイズ取得処理にて取得した前記送信データサイズを基に前記データの受信量が前記第１及び第２のゲートウェイで均等になるように送信データサイズを振り分けたルーティングテーブルを生成するルーティングテーブル生成処理と、前記ルーティングテーブル生成処理で生成されたルーティングテーブルの内容に基づいて前記第１及び第２のゲートウェイのいずれかに前記第１及び第２のインフラ通信網の一方または前記第１及び第２のインフラ通信網の一方及び前記アドホック通信網を介して送信データを出力する送信処理とを実行することを特徴とする。
【発明の効果】
【００１２】
本発明は、上記のような構成及び動作とすることで、一般ユーザに影響を及ぼさずに全ての特定端末がデータ送信することが可能なネットワーク構成を構築することができるという効果が得られる。
【図面の簡単な説明】
【００１３】
【図１】本発明の実施の形態によるインフラ通信網の構成例を示すブロック図である。
【図２】本発明の実施の形態によるインフラ通信網の構成例を示すブロック図である。
【図３】本発明の実施の形態による特定端末の構成例を示すブロック図である。
【発明を実施するための形態】
【００１４】
次に、本発明の実施の形態について図面を参照して説明する。まず、本発明による通信データ分散方法の概要について説明する。
【００１５】
本発明は、インフラストラクチャモードを使用した無線通信網(以下、インフラ通信網とする)において、一般ユーザが使用する端末(以下、一般端末とする)と、企業が業務的に使用する端末(以下、特定端末とする)とが混在している環境が前提となる。その環境を図１に示す。
【００１６】
図１に示す環境下で、インフラ通信網に存在している特定端末間をアクセスポイントを利用せずに端末同士でネットワークを構築するアドホックモードを使用した無線通信網(以下、アドホック通信網とする)を介して接続している環境を図２に示す。
【００１７】
図２に示す環境下で、特定端末の間で送信データサイズを収集し、その送信データサイズを元にインフラ通信網への負荷を均等に分散させるルーティングテーブルを作成し、特定端末⇒ＧＷ（ゲートウェイ）への通信を分散させることが本発明の特徴となる。
【００１８】
上記のように、本発明では、特定端末の送信データを分散させることにより、ＧＷの性能を超えないように、またインフラ通信網の帯域の上限を超えないようにネットワーク構築が可能となる。
【００１９】
図１及び図２は本発明の実施の形態によるインフラ通信網の構成例を示すブロック図であり、図３は本発明の実施の形態による特定端末の構成例を示すブロック図である。
【００２０】
図１及び図２において、インフラ通信網１は、ＧＷ３と、一般端末群５と、特定端末７〜８とからネットワークが構成され、インフラ通信網２は、ＧＷ４と、一般端末群６と、特定端末９〜１１とからネットワークが構成されている。
【００２１】
また、アドホック通信網１３は、特定端末７〜１１からネットワークが構成されている。これにより、特定端末７〜１１はそれぞれインフラ通信網１，２及びアドホック通信網１３を同時に利用してＧＷ３，４へのデータ送信が可能となっている。
【００２２】
ＧＷ３，４は性能限界があり、特定端末７〜１１から受信できるデータが合計８０Ｍｂｙｔｅまでの規定がある状況とする。また、特定端末７は１０Ｍｂｙｔｅ、特定端末８は２０Ｍｂｙｔｅ、特定端末９は３０Ｍｂｙｔｅ、特定端末１０は３０Ｍｂｙｔｅ、特定端末１１は３０Ｍｂｙｔｅの送信データを定期的に且つ固定的にＧＷ３か、ＧＷ４に送信する必要があり、常に同タイミングでデータを送信する必要がある状況とする。
【００２３】
また、本発明を適用していない場合でのＧＷ３とＧＷ４とで特定端末７〜１１から定期的に受信するデータ量をルーティングテーブル１２に、本発明を適用した場合でのＧＷ３とＧＷ４とで特定端末７〜１１から定期的に受信するデータの量をルーティングテーブル１４に示す。
【００２４】
図３において、特定端末７は、送信データサイズを他の特定端末８〜１１から取得する送信データサイズ取得部７１と、送信データサイズ取得部７１にて取得した送信データサイズを基に、データの受信量がＧＷ３とＧＷ４とで均等になるように送信データサイズを振り分けたルーティングテーブル１４を生成するルーティングテーブル生成部７２と、ルーティングテーブル生成部７２で生成されたルーティングテーブル１４の内容に基づいて送信データを出力する送信部７３とを含んで構成されている。
【００２５】
尚、特定端末７の無線部やインタフェース等は公知であるので、その図示及び説明を省略する。また、他の特定端末８〜１１も、特定端末７と同様の構成となっている。さらに、図３では、インフラ通信網１及びアドホック通信網１３各々に接続するためのアンテナを別々に記しているが、共通のアンテナでもよく、これに限定されない。
【００２６】
本来であれば、図１に示すように、インフラ通信網１では特定端末７〜８とＧＷ３とでネットワークを構築し、インフラ通信網２では特定端末９〜１１とＧＷ４とでネットワークを構築するため、例えばインフラ通信網１の特定端末７からインフラ通信網２のＧＷ４等のネットワークを越えた通信はできない。
【００２７】
そのため、ルーティングテーブル１２に示した通り、ＧＷ３は特定端末７，８から受信するデータが３０Ｍｂｙｔｅ、ＧＷ４は特定端末９〜１１から受信するデータが９０Ｍｂｙｔｅとなってしまい、ＧＷ４は性能限界である８０Ｍｂｙｔｅを超えてしまう。
【００２８】
しかしながら、図２に示すように、アドホック通信網１３を利用することにより、特定端末７〜１１でネットワークを構築することができる。そのため、特定端末７，８はインフラ通信網１内でＧＷ３にデータ送信することが可能となり、特定端末９はインフラ通信網１及びアドホック通信網１３を経由してＧＷ３にデータ送信することが可能となり、特定端末１０，１１はインフラ通信網２内でＧＷ４にデータ送信することが可能となる。
【００２９】
インフラ通信網１，２における負荷分散の方法としては、送信データサイズを特定端末７〜１１がそれぞれ別の特定端末から取得し、送信データサイズをＧＷ３とＧＷ４とで均等にするように振り分けるようにルーティングテーブル１４を生成する。均等になるパターンが複数ある場合は、アドホック通信網１３を経由する特定端末が少なくなるように調整する。図２に示す場合には、特定端末９のみがアドホック通信網１３を経由することとなる。
【００３０】
今回は、特定端末７〜９がＧＷ３、特定端末１０，１１がＧＷ４となる。これにより、ルーティングテーブル１４に示した通り、ＧＷ３とＧＷ４とが共に受信データサイズを６０Ｍｂｙｔｅずつで均等にさせることが可能となる。
【００３１】
このように、本実施の形態では、ＧＷ３とＧＷ４とで均等に負荷分散を行ったことで、ＧＷ３，４共に性能限界である８０Ｍｂｙｔｅを超えずに、特定端末７〜１１のデータを受信することができる。そのため、一般ユーザに影響を及ぼさずに全ての特定端末７〜１１がデータ送信することが可能なネットワーク構成を構築することができる。
【産業上の利用可能性】
【００３２】
本発明は、通信メディア業界にて用いられるシステム、機器に適用可能である。
【符号の説明】
【００３３】
１，２  インフラ通信網
３，４  ゲートウェイ（ＧＷ）
５，６  一般端末群
７〜１１  特定端末
１２，１４  ルーティングテーブル
１３  アドホック通信網
７１  送信データサイズ取得部
７２  ルーティングテーブル生成部
７３  送信部
【図１】
2014093750.tif 000003
【図２】
2014093750.tif 000004
【図３】
2014093750.tif 000005